(57)【特許請求の範囲】
【請求項１】
遊技盤面と略平行な方向へ進退動作するアーム部材と、該アーム部材により支持された装飾体と、モータと、該モータからの駆動力を前記アーム部材に伝達して前記アーム部材の進退動作させるリンク機構と、備えた装飾体ユニットと、
前記装飾体の進退動作時は、第１の駆動電圧を前記モータに供給し、前記装飾体を停止位置に保持する時は、前記第１の駆動電圧より低い第２の駆動電圧を前記モータに供給する電圧供給回路と、
前記装飾体を前記停止位置に保持する時、前記装飾体の少なくとも一部の前方に位置するように固定配置されている化粧板と、
前記化粧板の背面側に、前記装飾体の少なくとも一部を収容するための空所と、備え、
前記装飾体が前記停止位置にある時は、前記化粧板の背面により前記装飾体の少なくとも一部の前面に圧接して、前記装飾体を後方へ弾性的に押圧して一定位置に静止させるように、前記化粧板の下縁部が、前記遊技盤面に固定されて立設されており、
前記電圧供給回路は、スイッチ素子と、複数本の抵抗を直列又は／及び並列に接続した回路によって構成される減電圧回路と、を備え、前記スイッチ素子を介して前記第１の駆動電圧を供給し、前記減電圧回路を介して前記第２の駆動電圧を供給することを特徴とするパチンコ遊技機。
【請求項２】
前記モータは４相モノポーラステッピングモータであることを特徴とする請求項１に記載のパチンコ遊技機。
【発明の詳細な説明】
【技術分野】
【０００１】
本発明は、パチンコ遊技機に関わり、特に遊技盤面と略平行な方向へ進退動作する装飾体ユニットの駆動に関するものである。
【背景技術】
【０００２】
パチンコ遊技機においては、遊技盤の盤面に入賞口、風車、可変表示装置、電飾装置等の各種盤面部品を設けて遊技内容の多様性を図り、遊技の進行中における入賞、その他の状況変化を契機として可動盤面部品を種々の方向に動作させることにより演出効果を高めている。例えば、遊技盤に設けられた始動入賞口に遊技球が入賞すると、遊技盤中の可変表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
なお、先行文献としては、例えば、本出願人の提案に係る特許文献１には、遊技盤の盤面と平行な左右方向へ往復移動する第１可動役物と、遊技盤の前後方向へ往復移動する第２可動役物と、を備えた役物装置が開示されている。これによれば、遊技内容の複雑、高度化に対応した演出を実現することができる。
また、特許文献２にも第１の可動部材と第２の可動部材を動作させるための構成が開示されている。
【特許文献１】特開２００７−２９２５５公報
【特許文献２】特開２００４−１２９８７５公報
【発明の開示】
【発明が解決しようとする課題】
【０００３】
しかしながら、ギヤ機構を用いて各可動役物を上下、左右に動作させる場合には、可動役物を待避位置にて停止させた状態で維持することが難しい。即ち、ギヤ同士のバックラッシュ、部材間の寸法誤差等によって、可動役物が本来の停止位置から遊技領域側に偏位した状態で停止することが多々あり、遊技球の経路を妨げたり、外観を悪化させて遊技の興趣を低下させる原因となる。
このような不具合は、一端に設けた回動軸を中心として盤面と平行な方向へ回動する長尺アームの先端に可動役物を取り付けた構造の盤面部品において発生し易い。これは、長尺アームの一端に設けた回動軸と他端に設けた可動役物との間の距離が長いために長尺アームを待避位置に停止させた際に、長尺アーム及び可動役物の自重と、ギヤ部のバックラッシュなどに起因して退避位置に確実に停止させることが難しいからである。
可動役物を正規の退避位置に確実に停止させる方策として、例えば樹脂材料から成る長尺アームや可動役物側に鉄などの金属部材を固定すると共に、遊技盤側に永久磁石を固定配置することにより、可動役物が停止位置に達したときに金属部材を永久磁石にて吸着保持することも考えられるが、樹脂材料からなる長尺アームや可動役物に対して位置決めのみを目的とした専用の金属部位を取り付けるための設計変更を加える必要があり、部品点数の増大、組付け手数の増大をもたらすため、得策ではない。
特に、金属部材を取り付ける対象部位やその前方に位置する部材が透明材料からなる場合には、前方から金属部材が目視されてしまうため、外観が悪化するという欠点があった。
本発明は上記のような問題点を鑑みてなされたものであり、可動役物側に格別な部品の追加を行うことなく、遊技盤面と略平行な方向へ動作する可動役物を停止位置に保持することができるパチンコ遊技機を提供することを目的とする。
【課題を解決するための手段】
【０００４】
本発明は、上述の課題を解決するためになされたものであり、以下の形態により実現することが可能である。
即ち、第１の形態のパチンコ遊技機は、遊技盤面と略平行な方向へ進退動作するアーム部材と、該アーム部材により支持された装飾体と、モータと、該モータからの駆動力を前記アーム部材に伝達して前記アーム部材の進退動作させるリンク機構と、備えた装飾体ユニットと、
前記装飾体の進退動作時は、第１の駆動電圧を前記モータに供給し、前記装飾体を停止位置に保持する時は、前記第１の駆動電圧より低い第２の駆動電圧を前記モータに供給する電圧供給回路と、前記装飾体を前記停止位置に保持する時、前記装飾体の少なくとも一部の前方に位置するように固定配置されている化粧板と、前記化粧板の背面側に、前記装飾体の少なくとも一部を収容するための空所と、備え、前記装飾体が前記停止位置にある時は、前記化粧板の背面により前記装飾体の少なくとも一部の前面に圧接して、前記装飾体を後方へ弾性的に押圧して一定位置に静止させるように、前記化粧板の下縁部が、前記遊技盤面に固定されて立設されており、前記電圧供給回路は、スイッチ素子と、複数本の抵抗を直列又は／及び並列に接続した回路によって構成される減電圧回路と、を備え、前記スイッチ素子を介して前記第１の駆動電圧を供給し、前記減電圧回路を介して前記第２の駆動電圧を供給することを特徴とする。
第２の形態のパチンコ遊技機は、前記モータは４相モノポーラステッピングモータであることを特徴とする。
【発明の効果】
【０００５】
本発明によれば、装飾体の進退動作時は装飾体を駆動するモータに第１の駆動電圧を供給し、装飾体を停止位置に保持する時はモータに第１の駆動電圧より低い第２の駆動電圧を供給する電圧供給回路を備えたことで、可動盤面部品が透明部材から構成される場合のように、可動盤面部品に取り付けた金属部材が前方から視認されて外観を悪化させるという不具合をなくしつつ、可動盤面部品ユニットが収納位置にあるときに可動盤面部品を停止位置に保持して遊技領域方向へ突出しないようにすることができる。
【発明を実施するための最良の形態】
【０００６】
以下、本発明を図面に示した実施の形態により詳細に説明する。
図１は本発明の実施の形態に係るパチンコ遊技機の全体正面図であり、図２は遊技球誘導装置を斜め上方から見た斜視図、図３（ａ）及び（ｂ）は可動盤面部品ユニットの収納状態における正面図及び背面図、図４（ａ）及び（ｂ）は可動盤面部品ユニットの突出状態における正面図及び背面図である。
図１に示すように、本実施の形態のパチンコ遊技機１は、矩形形状の枠２を有し、この枠２の窓孔に対して裏側から遊技盤３が着脱可能に取り付けられている。
遊技盤３には、遊技領域の外周縁に沿って前方に突出されたガイドレールが設けられている。ガイドレールは発射装置から発射された遊技球を遊技領域の上部に案内したり、アウト球を回収するアウト口１８に案内したりする外レールＲ１及び内レールＲ２により構成される。
遊技盤３の前面側には、図示しないガラス枠が開閉可能に取り付けられている。また遊技盤３の下部には遊技球を貯留する受け皿部４と、受け皿部４内の遊技球を発射する発射レバー５等が設けられている。また、受け皿部４の上部には、例えば遊技演出用のチャンスボタンや十字キーなどの操作部６や、遊技球の購入ボタンや購入取り消しボタンなどが設けられている。
遊技盤３の略中央には、図柄演出表示装置９が配置されている。図柄演出表示装置９は、例えば、液晶表示装置等の液晶表示パネルによって構成され、通常動作状態の時は図示しない特別図柄画像が表示される。また、所謂リーチ状態や特別遊技状態の時はそれぞれの遊技状態であることを示す演出画像等が表示される。
図柄演出表示装置９の下方には、図柄演出表示装置９の特別図柄を可変表示させるための可変入賞装置１１が設けられている。
また、図柄演出表示装置９の左側には、遊技盤３の右下部に配置された普通図柄表示装置１０に表示される普通図柄を作動させるためのゲート１２が設けられている。
さらに、可変入賞装置１１の下方には、特別遊技状態の一つである大当り状態のときに開成状態になる開閉扉を有する大入賞口１３が設けられている。
【０００７】
可変入賞装置１１は、図柄演出表示装置９を可変表示させるための上始動ポケット１４と、左右一対の開閉爪（可動片）を有する電動式チューリップ１７とを備えている。
また遊技盤３には、普通入賞口１６が設けられていると共に、風車１５や多数の遊技釘が突設されている。遊技釘は、遊技球の落下速度を遅くすると共に、落下方向を複雑に変化させて遊技進行上の興趣を高めている。
普通図柄表示装置１０に表示される普通図柄は、１個または複数個の図柄を変動表示可能であり、普通図柄始動口としてのゲート１２が遊技球を検出することを条件に、その図柄が乱数制御等により所定時間可変して停止するようになっている。
普通図柄としては、数字図柄、アルファベット図柄、キャラクター図柄、その他の適宜の遊技図柄が使用される。そして、ゲート１２を遊技球が通過したことを条件に乱数制御により普通図柄が所定態様となった場合に、可変入賞装置１１に設けられた電動式チューリップから成る可動片を所定時間、開成動作するように構成されている。
図柄演出表示装置９に表示される特別図柄は、停止図柄が予め定められた図柄の組合せ、例えば同一図柄の組合せとなった場合に大当り状態となるように構成されている。また特別図柄は、可変入賞装置１１の上始動ポケット１４、又は電動式チューリップの開成動作により遊技球が誘導される下始動口（図示していない）への遊技球の入賞を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当り状態が発生する。なお、特別図柄としては、数字図柄、アルファベット図柄、キャラクター図柄等が使用可能である。
【０００８】
図柄演出表示装置９の上方、及び右側方には多数の雪結晶を象った可動盤面部品(装飾体)２０が配置されているが、右側方に位置する可動盤面部品２０は、上端部を軸支されることによって左右方向へ揺動するアーム部材２１と、アーム部材２１の前面に上下方向に沿って複数配列された星形のギミック２２と、から構成されている。更に、この可動盤面部品２０と、可動盤面部品２０を駆動する駆動機構３０（図４）と、可動盤面部品２０及び駆動機構３０の背面側に固定配置された図示しないＬＥＤとは、可動盤面部品ユニット２５を構成している。
可動盤面部品２０は、遊技盤面、或いは遊技盤に形成した開口内に配置されて所定の軌跡に沿って動作する。アーム部材２１の上端部に設けた軸部２１ａは遊技盤、或いはその他の支持部材によって軸支されており、アーム部材２１は全体として図１、図３に示した収納位置（停止位置）と、図４に示した突出位置との間を揺動することができる。アーム部材２１の背面にはＬＥＤを搭載したプリント基板が組み付けられており、透明材料から構成されたギミック２２を背面から照光する。
【０００９】
駆動機構３０は、可動盤面部品２０の駆動源としてのモータ３１と、モータ３１の出力ギヤ３２と噛合するギヤ部を有した扇形ギヤ３３と、扇形ギヤ３３の一部から一体的に突出したリンク片３４と、アーム部材２１の下部適所から背面側に突設されてリンク片３４に設けた長穴３４ａ内に遊嵌するピン３５と、を有する。
モータ３１は、例えば４相ユニポーラステッピングモータにより構成される。なお、モータ３１は、必ずしも４相ユニポーラステッピングモータに限定されるものでなく、バイポーラステッピングモータなどを用いることが可能であるが、４相ユニポーラステッピングモータを用いた場合は駆動回路を簡素化することが可能である。
モータ３１の出力ギヤ３２が正逆回転することによりこれと噛合する扇形ギヤ３３も軸３３ａを中心として正逆回動し、その過程で扇形ギヤ３３と一体のリンク片３４も図３の状態から図４の状態に動作する。リンク片３４が往復動作する過程で長穴３４ａ内をピン３５が往復動作しながらリンク片からの駆動力がアーム部材２１に伝達されてアーム部材２１を図３の収納状態から図４の突出状態へ移行させる。
【００１０】
可動盤面部品ユニット２５が図１、図３に示した停止位置にあるときに、可動盤面部品ユニット２５の一部、この例では最下部に位置する大径星形のギミック（装飾体）２２ａの前方に位置するように化粧板４０が固定配置されている（図２）。
化粧板４０の前面には遊技内容に関連した絵図、文字等々任意の画像が表示されると共に、化粧板４０の背面側にはギミック２２ａを収容するための空所４１ａが形成される。
化粧板４０は、所定の強度と弾性を有した樹脂板であり、ギミック２２ａが収納位置にある時にその背面によりギミックの前面に圧接してこれを後方へ弾性的に押圧して一定位置に静止させるように、その下縁部を遊技盤側によって固定されて立設されている。
【００１１】
図５は、本実施の形態のパチンコ遊技機の遊技制御を行う遊技制御装置の構成を示したブロック図である。
図５に示す遊技制御装置には、主（メイン）制御基板として遊技の進行を制御する遊技制御基板１１１が設けられていると共に、副（サブ）制御基板として遊技の演出を制御する演出制御基板１２０とランプ制御基板１４１、賞球を制御する賞球制御基板１５１等が設けられている。
遊技制御基板１１１は、ＣＰＵ１１２、ＲＯＭ１１３、ＲＡＭ１１４、及び入出力インターフェース（以下、「Ｉ／Ｏ」と称する）１１５、１１６を有し、当該パチンコ遊技機の主たる制御を行う。遊技制御基板１１１のＩ／Ｏ１１５には、可変入賞装置１１の上始動ポケット１４に設けられた上始動ＳＷ１４ａや図示しない下始動口に設けられた下始動ＳＷ１４ｂ、遊技盤３上の始動ゲート１２の始動ゲートＳＷ１２ａが接続されている。また遊技盤３の普通入賞口１６に設けられた普通入賞口ＳＷ１６ａ、１６ｂ、大入賞口１３に設けられた大入賞口ＳＷ１３ａ、大入賞口１３の開閉扉を夫々開閉動作させるための大入賞口ソレノイド１３ｂ、可変入賞装置１１に備えられた電動式チューリップ１７を開閉動作させるための始動口ソレノイド１７ａなどが接続されている。
一方、遊技制御基板１１１のＩ／Ｏ１１６は、演出制御基板１２０の演出制御部１２１に設けられているＩ／Ｏ１２５、及び賞球制御基板１５１のＩ／Ｏ１５５と接続される。
このように構成される遊技制御基板１１１は、始動条件の成立したとき、即ち上始動ポケットの上始動ＳＷ１４ａや、電動式チューリップ１７内の下始動ＳＷ１４ｂにおいて遊技球の入賞を検出したときに、ＣＰＵ１１２において演出パターン制御コマンドの抽選を行い、取得した演出パターン制御コマンドを演出制御基板１２０の演出制御部１２１に送信する。
【００１２】
演出制御基板１２０は、演出制御部１２１と、画像・音声制御部１３１とから構成される。演出制御部１２１は、ＣＰＵ１２２、ＲＯＭ１２３、ＲＡＭ１２４、Ｉ／Ｏ１２５、１２６、１２７を有し、演出全体の制御を行う。演出制御部１２１のＩ／Ｏ１２５は、遊技制御基板１１１のＩ／Ｏ１１６と操作部６とが接続されており、演出制御部１２１のＣＰＵ１２２は、操作部６の操作情報に基づいて、図柄演出表示装置９に表示する画像を切り替えるようにしている。
演出制御部１２１のＩ／Ｏ１２５は、遊技制御基板１１１のＩ／Ｏ１１６と操作部６とが接続され、Ｉ／Ｏ１２６は、画像・音声制御部１３１のＩ／Ｏ１３５に接続され、Ｉ／Ｏ１２７はランプ制御基板１４１のＩ／Ｏ１４５に接続される。
画像・音声制御部１３１は、ＣＰＵ１３２、ＲＯＭ１３３、ＲＡＭ１３４、Ｉ／Ｏ１３５、１３６を有し、画像及び音声の制御を行う。画像・音声制御部１３１のＩ／Ｏ１３６には、スピーカ８、図柄演出表示装置９、及び普通図柄表示装置１０が接続されている。
【００１３】
画像・音声制御部１３１のＲＯＭ１３３には、図柄演出表示装置９に表示する予告演出画像データや各種リーチ演出の画像データ、大当り遊技状態のときに表示する大当り遊技状態用画像データ、スピーカ８から出力する特別遊技状態用音声データ等が記憶されている。
ランプ制御基板１４１は、ＣＰＵ１４２、ＲＯＭ１４３、ＲＡＭ１４４、Ｉ／Ｏ１４５、１４６を有し、Ｉ／Ｏ１４６に接続されている各種ランプ、例えば盤面ランプ１４７や前枠ランプ１４８、サイドランプ１４９、操作部６内に設けられているボタンＬＥＤ１５０等の制御を行う。またランプ制御基板１４１は、可動盤面部品ユニット２５の制御を行うと共に、センサ３６の検出結果などに基づいて可動盤面部品２０の停止位置の制御を行う。
賞球制御基板１５１は、ＣＰＵ１５２、ＲＯＭ１５３、ＲＡＭ１５４、Ｉ／Ｏ１５５、１５６を有し、遊技制御基板１１１からの制御信号に基づいて、Ｉ／Ｏ１５６に接続されている払出駆動モータ１５７の駆動制御を行う。また、Ｉ／Ｏ１５６には定位置検出ＳＷ１５８ａや、払出球検出ＳＷ１５８ｂ、球有り検出ＳＷ１５８ｃ、満タン検出ＳＷ１５８ｄ等が接続されている。
上記のよう構成される本実施の形態のパチンコ遊技機においては、可動盤面部品ユニット２５のギミック２２ａを含む可動盤面部品２０を、遊技盤面と略平行な方向へ進退動作させるために、駆動機構３０のモータ３１に対して駆動電圧を供給する電圧供給回路の構成に特徴がある。
【００１４】
図６は、モータ３１に駆動電圧を供給する電圧供給回路の構成を示した図である。
この図６に示すモータ３１は、例えば４相ユニポーラステッピングモータにより構成される。モータ３１には、電圧供給回路５１から駆動電圧が供給される。また図５に示したランプ制御基板１４１から４本の駆動信号（Ａ相、Ｂ相、Ａ￣相、Ｂ￣相）が供給されている。
電圧供給回路５１は、ＰＮＰトランジスタＱ１と、４本の抵抗Ｒ１、Ｒ２、Ｒ３、Ｒ４、及びダイオードＤ１により構成される。
ＰＮＰトランジスタＱ１は、スイッチ素子であり、エミッタは駆動電圧Ｖｃｃ（例えば１５Ｖ）を出力する駆動電源に接続され、そのコレクタはモータ３１の電源端子ｔ１に接続される。またベースにはランプ制御基板１４１から駆動／停止信号が入力される。
ＰＮＰトランジスタＱ１のベース−エミッタ間には、抵抗Ｒ１が接続され、エミッタ−コレクタ間には図示するような向きでダイオードＤ１が接続されている。
さらに本実施の形態では、ＰＮＰトランジスタＱ１のエミッタ−コレクタ間に減電圧回路５２が接続されている。減電圧回路５２は、並列に接続した抵抗Ｒ２、Ｒ３に抵抗Ｒ４を直列に接続して構成されている。
【００１５】
また、図７は電圧供給回路の他の構成例を示した図である。なお、図６と同一部位には同一符号を付して説明は省略する。
図７に示す電圧供給回路は、減電圧回路５２を１本の抵抗Ｒ１１によって構成した点が図６に示した電源供給回路とは異なる。
このように構成される本実施の形態の電圧供給回路５１では、可動盤面部品２０を進退動作させる際には、ランプ制御基板１４１からの駆動／停止信号がＬ（ロー）レベルとなる。これにより、ＰＮＰトランジスタＱ１がオンになり、モータ３１の電源端子ｔ１には、ＰＮＰトランジスタＱ１を介して、図示しない駆動電源の駆動電圧Ｖｃｃが供給される。つまり、モータ３１の電源端子ｔ１には、駆動電源の駆動電圧Ｖｃｃと略等しい第１の駆動電圧が印加されることになる。これにより、モータ３１はランプ制御基板１４１からの４本の駆動信号に基づいて、ギミック２２ａを含む可動盤面部品２０を進退動作させるように駆動する。
【００１６】
一方、可動盤面部品ユニット２５の可動盤面部品２０を停止位置に保持する際には、ランプ制御基板１４１からの駆動／停止信号がＨ（ハイ）レベルとなる。これにより、ＰＮＰトランジスタＱ１がオフになり、モータ３１の電源端子ｔ１には、減電圧回路５２を介して駆動電圧が供給される。この場合、駆動電源の駆動電圧Ｖｃｃは、減電圧回路５２の抵抗により減電圧され、モータ３１の電源端子ｔ１には第１の駆動電圧より低い第２の駆動電圧が印加されることになる。
このようにすれば、モータ３１は、第２の駆動電圧により励磁状態となり、可動盤面部品２０を所定の停止位置に保持することができる。なお、図６に示す電圧供給回路では、減電圧回路５２の抵抗Ｒ２〜Ｒ４の抵抗値を変更することで、第２の駆動電圧のレベルを適宜設定可能である。また、図６に示す電圧供給回路では、減電圧回路５２を、抵抗Ｒ２〜Ｒ４を用いて構成したことで、減電圧回路５２において発生する熱を分散させることができる。なお、図６に示す減電圧回路５２では、並列に接続した抵抗Ｒ２、Ｒ３に対して抵抗Ｒ４を直列に接続するようにしているが、これはあくまでも一例であり、減電圧回路５２は複数本の抵抗の直列回路、並列回路、或いはこれらを任意に組み合わせた回路によって構成することができる。
また、図７に示す電圧供給回路では、減電圧回路５２を１本の抵抗Ｒ１１で構成するようにしているため、減電圧回路５２が簡単に構成することができるという利点がある。
【００１７】
このように本実施の形態のパチンコ遊技機では、可動盤面部品ユニット２５の可動盤面部品２０の進退動作時は、可動盤面部品２０を駆動するモータ３１に第１の駆動電圧を供給し、可動盤面部品２０を停止位置に保持する時はモータ３１に第１の駆動電圧より低い第２の駆動電圧を供給する電圧供給回路５０を備えたことで、可動盤面部品２０が透明部材から構成される場合のように、可動盤面部品２０に取り付けた金属部材が前方から視認されて外観を悪化させるという不具合をなくしつつ、可動盤面部品ユニット２５が停止位置にあるときに可動盤面部品を停止位置に確実に保持して遊技領域方向へ突出しないようにすることができる。
また、本実施の形態では、第１の駆動電圧より低い第２の駆動電圧により可動盤面部品２０を停止位置に保持するようにしているため、例えば、第１の駆動電圧で可動盤面部品２０を保持する場合に比べて、モータ３１の発熱を抑制することができる。このようにモータ３１の発熱を抑えるようにすると、発熱に伴ってモータ３１の磁力が低下して、進退動作時においてモータ３１のミスステップの発生を防止することができる。
【図面の簡単な説明】
【００１８】
【図１】本発明の実施の形態に係るパチンコ遊技機の全体正面図である。
【図２】遊技盤を斜め上方から見た斜視図である。
【図３】（ａ）及び（ｂ）は可動盤面部品ユニットの収納状態における正面図、及び背面図である。
【図４】（ａ）及び（ｂ）は可動盤面部品ユニットの突出状態における正面図、及び背面図である。
【図５】本実施の形態のパチンコ遊技機の遊技制御を行う遊技制御装置の構成を示したブロック図である。
【図６】本実施の形態のパチンコ遊技機において駆動機構のモータに駆動電圧を供給する電圧供給回路の構成を示した図である。
【図７】本実施の形態のパチンコ遊技機において駆動機構のモータに駆動電圧を供給する電圧供給回路の他の構成を示した図である。
【符号の説明】
【００１９】
１…パチンコ遊技機、２…枠、３…遊技盤、４…皿部、５…発射レバー、６…操作部、１０…普通図柄表示装置、１１…可変入賞装置、１２…ゲート、１３…大入賞口、１４…上始動ポケット、１５…風車、１６…普通入賞口、１７…電動式チューリップ、１８…アウト口、２０…可動盤面部品、２１…アーム部材、２１ａ…軸部、２２…ギミック、２２ａ…ギミック、２５…可動盤面部品ユニット、３０…駆動機構、３１…モータ、３２…出力ギヤ、３３…扇形ギヤ、３３ａ…軸、３４…リンク片、３４ａ…長穴、３５…ピン、５１…電圧供給回路、５２…減電圧回路、１４１…ランプ制御基板
【図１】
0004901783.tif 000002
【図２】
0004901783.tif 000003
【図３】
0004901783.tif 000004
【図４】
0004901783.tif 000005
【図５】
0004901783.tif 000006
【図６】
0004901783.tif 000007
【図７】
0004901783.tif 000008